(57)【特許請求の範囲】
【請求項１】
入力電流の電流値を監視し、前記電流値が所定の閾値を超えた場合には前記入力電流を調整して出力電流として出力する安定化電源装置であって、
前記閾値の引き上げ要求を入力した場合には前記閾値を所定の期間に亘って引き上げる閾値設定回路を備え、
前記閾値設定回路が、前記所定の期間に亘る前記閾値の引き上げを終了した後、前記安定化電源装置を構成する部品の温度が所定の温度を下回るために要する期間を経過した場合には正常復帰信号を出力することを特徴とする安定化電源装置。
【請求項２】
入力電流の電流値を監視し、前記電流値が所定の閾値を超えた場合には前記入力電流を調整して出力電流として出力する安定化電源装置であって、
前記閾値の引き上げ要求を入力した場合には前記閾値を所定の期間に亘って引き上げる閾値設定回路と、
前記安定化電源装置を構成する部品の温度を計測し、前記閾値設定回路へ送信する温度検出回路とを備え、
前記閾値設定回路が、前記閾値の引き上げ要求を入力した場合には前記閾値を前記温度に応じた期間に亘って引き上げることを特徴とする安定化電源装置。
【請求項３】
入力電流の電流値を監視し、前記電流値が所定の閾値を超えた場合には前記入力電流を調整して出力電流として出力する安定化電源装置であって、
前記閾値の引き上げ要求を入力した場合には前記閾値を所定の期間に亘って引き上げる閾値設定回路と、
前記安定化電源装置を構成する部品の温度を計測し、前記閾値設定回路へ送信する温度検出回路とを備え、
前記閾値設定回路が、前記安定化電源装置の構成部品の温度が所定の温度を下回った場合には正常復帰信号を出力することを特徴とする安定化電源装置。
【請求項４】
入力電流の電流値を監視し、前記電流値が所定の閾値を超えた場合には前記入力電流を調整して出力電流として出力する安定化電源装置であって、
前記閾値の引き上げ要求を入力した場合には前記閾値を所定の期間に亘って引き上げる閾値設定回路と、
前記安定化電源装置を構成する部品の温度を計測し、前記閾値設定回路へ送信する温度検出回路とを備え、
前記閾値設定回路が、前記閾値の引き上げ要求を入力した場合には前記閾値を前記温度に応じた期間に亘って引き上げ、前記安定化電源装置の構成部品の温度が所定の温度を下回った場合には正常復帰信号を出力することを特徴とする安定化電源装置。
【発明の詳細な説明】
【技術分野】
【０００１】
本発明は安定化電源装置に関する。
【背景技術】
【０００２】
図３は、従来の安定化電源装置１１０の構成図である。
【０００３】
安定化電源装置１１０は、図３を参照すると、電流検出回路１１１、電圧変換回路１１２、制御回路１１３、過電流判定回路１１４を備える。
【０００４】
電流検出回路１１１は、入力電流の大きさを検出し、電流値を過電流判定回路１１４へ通知する。
【０００５】
過電流判定回路１１４は、通知された電流値が自身の保持する閾値を超えた場合には、制御回路１１３に向けて、入力電流が過大であることを通知する。
【０００６】
制御回路１１３は、入力電流が過大である旨の通知を受信した場合には、電圧変換回路１１２を介して出力電流の大きさを制御する。
【０００７】
安定化電源装置１１０は、以上の構成に基づいて、過電流保護機能を実現している。
【０００８】
従来の安定化電源装置１１０では、過電流判定回路１１４が保持する閾値は一定値であった。
【０００９】
なお、特許文献１において、部品の破損を防ぐための過電流保護回路を備え、電流起動時において過電流保護の閾値を変化させるように構成された、スイッチング電源装置が開示されている。
【００１０】
【特許文献１】特開２００５−２４５０６４号公報
【発明の開示】
【発明が解決しようとする課題】
【００１１】
以下の分析は本発明者によってなされたものである。
【００１２】
起動時においてのみ一時的に大電流を必要とするようなモータ等の負荷に対して電源を供給する場合、従来は、この大電流に応じた連続最大出力を備えた安定化電源装置が使用されてきた。
【００１３】
このような安定化電源装置は、大電流を必要としない通常時においては、過剰性能であって、経済性が悪く、大型化する問題があった。
【００１４】
また、安定化電源装置が通常動作している場合には、部品のディレーティングには余裕があるため、一時的な過大負荷には十分耐えられると考えられる。
【００１５】
そこで、出力過電流保護機能が動作を開始する出力電流の閾値を可変とすることが考えられる。
【００１６】
しかし、特許文献１に開示されたスイッチング電源装置は、直流出力のみを想定し、過電流として容量性負荷へ充電する際の電流のみを対象としている。
【００１７】
また、このスイッチング電源装置は、過電流保護回路を１次系および２次系の２系統において備えた構成であるため、部品点数が多いという問題がある。
【００１８】
さらに、このスイッチング電源装置は、電源起動時における過電流にのみ対応し、電源起動後に大電流が必要になった場合に対応することができないという問題がある。
【００１９】
したがって、連続最大出力よりも大きい電流を一時的に負荷へ供給することができ、かつ、部品点数の少ない安定化電源装置を提供することが課題となる。
【課題を解決するための手段】
【００２０】
本発明の第１の視点に係る安定化電源装置は、入力電流の電流値を監視し、前記電流値が所定の閾値を超えた場合には前記入力電流を調整して出力電流として出力する安定化電源装置であって、前記閾値の引き上げ要求を入力した場合には前記閾値を所定の期間に亘って引き上げる閾値設定回路を備え、前記閾値設定回路が、前記所定の期間に亘る前記閾値の引き上げを終了した後、前記安定化電源装置を構成する部品の温度が所定の温度を下回るために要する期間を経過した場合には正常復帰信号を出力する。
【００２１】
第２の視点に係る安定化電源装置は、入力電流の電流値を監視し、前記電流値が所定の閾値を超えた場合には前記入力電流を調整して出力電流として出力する安定化電源装置であって、前記閾値の引き上げ要求を入力した場合には前記閾値を所定の期間に亘って引き上げる閾値設定回路を備え、前記閾値設定回路が、前記所定の期間に亘る前記閾値の引き上げを終了した後、前記安定化電源装置を構成する部品の温度が正常温度に復帰するために要する期間を経過した場合には正常復帰信号を出力する。
【００２２】
第３の視点に係る安定化電源装置は、入力電流の電流値を監視し、前記電流値が所定の閾値を超えた場合には前記入力電流を調整して出力電流として出力する安定化電源装置であって、前記閾値の引き上げ要求を入力した場合には前記閾値を所定の期間に亘って引き上げる閾値設定回路と、前記安定化電源装置を構成する部品の温度を計測し、前記閾値設定回路へ送信する温度検出回路とを備え、前記閾値設定回路が、前記閾値の引き上げ要求を入力した場合には前記閾値を前記温度に応じた期間に亘って引き上げる。
【００２３】
第４の視点に係る安定化電源装置は、入力電流の電流値を監視し、前記電流値が所定の閾値を超えた場合には前記入力電流を調整して出力電流として出力する安定化電源装置であって、前記閾値の引き上げ要求を入力した場合には前記閾値を所定の期間に亘って引き上げる閾値設定回路と、前記安定化電源装置を構成する部品の温度を計測し、前記閾値設定回路へ送信する温度検出回路とを備え、前記閾値設定回路が、前記安定化電源装置の構成部品の温度が所定の温度を下回った場合には正常復帰信号を出力する。
【００２４】
第５の視点に係る安定化電源装置は、入力電流の電流値を監視し、前記電流値が所定の閾値を超えた場合には前記入力電流を調整して出力電流として出力する安定化電源装置であって、前記閾値の引き上げ要求を入力した場合には前記閾値を所定の期間に亘って引き上げる閾値設定回路と、前記安定化電源装置を構成する部品の温度を計測し、前記閾値設定回路へ送信する温度検出回路とを備え、前記閾値設定回路が、前記閾値の引き上げ要求を入力した場合には前記閾値を前記温度に応じた期間に亘って引き上げ、前記安定化電源装置の構成部品の温度が所定の温度を下回った場合には正常復帰信号を出力する。
【発明の効果】
【００２５】
本発明の安定化電源装置によって、連続最大出力よりも大きな電流を一時的に負荷へ供給することができる。また、本発明の安定化電源装置は、絶縁型電源の場合には１次側、非絶縁型電源の場合には入力側のみにおいて、少ない部品点数で実現することができる。
【発明を実施するための最良の形態】
【００２６】
電源が供給される負荷が、例えば、モータである場合、大きな電流が必要とされるのは、起動時における一時的な期間に限られる。そこで、出力過電流保護機能が動作を開始する出力電流の閾値を必要なときに限って一時的に上昇させる機能を安定化電源に設けることが好ましい。
【００２７】
また、継続的に大きな電流が流れることによる安定化電源装置の部品が破損することを防ぐため、閾値を上昇させる際には、時間制限を設けることが好ましい。
【００２８】
負荷の起動時においてのみ大電流が必要とされる場合には、以上の機能によって、本発明の効果を奏することができる。
【００２９】
一方、負荷の起動時において、閾値を上昇させる制御を行った後に、再び、閾値を上昇させる制御が必要とされる場合は、安定化電源装置の電圧変換回路の部品温度を監視し、それらの温度が所定の温度以下になった場合には正常復帰信号を出力することが好ましい。
【００３０】
また、閾値を上昇させる制御の直後においては、正常復帰信号が安定化電源装置から出力されるまで一時的に大電流を必要とするモータの停止を禁止するなどして、これらの負荷の動作に障害を与えないようにし、同時に、安定化電源装置の部品が破損することも防止するようにしても良い。
【００３１】
部品温度の正常復帰信号が安定化電源装置から出力された後、再び、閾値の上昇制御が必要な場合は、閾値上昇要求信号を受信して閾値の上昇制御を行う機能を設けることで、負荷が起動する前に、一時的な大電流を負荷へ供給できるようにすることが好ましい。
【００３２】
このような機能を備えた安定化電源装置において、部品の温度が所定の温度以下になる前に閾値を上昇させる制御が引き続いて生じることを防ぎ、安全性と信頼性を確保することができる。また、かかる安定化電源装置によって、通常動作時の電流値に応じた適度な閾値に設定された、出力過電流保護機能を実現することができる。
【実施例１】
【００３３】
図１は、本発明の第１の実施例に係る安定化電源装置１０の構成図である。
【００３４】
安定化電源装置１０は、図１を参照すると、電流検出回路１１、電圧変換回路１２、制御回路１３、過電流判定回路１４、閾値設定回路１５を備える。
【００３５】
電流検出回路１１は、入力電流の大きさを検出し、電流値を過電流判定回路１４へ通知する。
【００３６】
過電流判定回路１４は、通知された電流値が自身の保持する閾値を超えた場合には、制御回路１３に向けて、入力電流が過大であることを通知する。
【００３７】
制御回路１３は、入力電流が過大である旨の通知を受信した場合には、電圧変換回路１２を介して出力電流の大きさを制御する。
【００３８】
以上の構成によって、安定化電源装置１０は、過電流保護機能を実現することができる。
【００３９】
本発明の第１の実施例に係る安定化電源装置１０は、さらに、過電流判定回路１４が保持する閾値の大きさを変化させるとともにその期間を制限する閾値設定回路１５を備える。
【００４０】
負荷を起動させる場合など、一時的に大電流が必要とされる場合には、閾値設定回路１５へ閾値上昇要求信号を送信する。
【００４１】
閾値設定回路１５は、閾値上昇信号を受信した場合、過電流判定回路１４へ閾値上昇要求信号を転送する。
【００４２】
過電流判定回路１４は、閾値上昇要求信号を受信した場合、自身の保持する閾値を上昇させる。
【００４３】
これにより、安定化電源装置１０は、一時的に大電流を出力することができる状態に置かれる。
【００４４】
閾値設定回路１５は、閾値上昇要求信号の転送を開始した後、所定の期間が経過した場合、かかる閾値上昇要求信号の転送を停止する。
【００４５】
これによって、大きな電流が連続して流れることによる、電圧変換回路１２の部品の破損を防ぐことができる。
【実施例２】
【００４６】
図２は、本発明の第２の実施例に係る安定化電源装置２０の構成図である。
【００４７】
安定化電源装置２０は、図２を参照すると、電流検出回路１１、電圧変換回路１２、制御回路１３、過電流判定回路１４、閾値設定回路１５を備える。
【００４８】
負荷において、起動時以外に再び大電流の供給が必要とされる場合を想定して、閾値設定回路１５は、閾値上昇要求信号を入力するとともに、正常復帰信号を出力するようにしてもよい。
【００４９】
閾値設定回路１５は、閾値上昇要求信号を過電流判定回路１４へ転送した場合、正常復帰信号の出力を停止する。
【００５０】
閾値設定回路１５は、閾値上昇要求信号の転送を停止した後、電圧変換回路１２を構成する部品が所定の温度を下回るために要する所定の期間を経過すると、正常復帰信号を出力する。
【００５１】
安定化電源装置２０を利用する側は、起動時以外の時点おいて、負荷が大電流の供給を必要とする場合、正常復帰信号が出力されている期間中、かつ、負荷を起動する直前に、閾値上昇要求信号を閾値設定回路１５へ送信する。
【００５２】
閾値設定回路１５は、閾値上昇要求信号を入力した場合、起動時と同様に、過電流判定回路１４へ閾値上昇要求信号を転送するとともに正常復帰信号の出力を停止する。
【００５３】
過電流判定回路１４は、閾値上昇要求信号を入力した場合、自身の保持する閾値を上昇させることにより、安定化電源装置２０において一時的に大電流を出力することができるようにする。
【００５４】
この場合も実施例１と同様に、閾値設定回路１５は、閾値上昇要求信号の転送を開始した後、所定の期間が経過すると、閾値を上昇させる信号の送信を停止し、大電流が継続することによる電圧変換回路１２の破損を防止する。
【００５５】
安定化電源装置２０は、図２を参照すると、温度検出回路１６をさらに備えてもよい。
【００５６】
温度検出回路１６は、安定化電源装置２０を構成する部品の温度を計測し、閾値設定回路１５へ送信する。
【００５７】
閾値設定回路１５は、閾値の引き上げ要求を入力した場合には閾値を計測された部品の温度に応じた期間に亘って引き上げることが好ましい。
【００５８】
また、閾値設定回路１５は、安定化電源装置２０の構成部品の温度が所定の温度を下回った場合、正常復帰信号を出力するようにしてもよい。
【００５９】
さらに、閾値設定回路１５は、閾値の引き上げ要求を入力した場合には閾値を温度に応じた期間に亘って引き上げるとともに、安定化電源装置２０の構成部品の温度が所定の温度を下回った場合、正常復帰信号を出力するようにしてもよい。
【図面の簡単な説明】
【００６０】
【図１】本発明の第１の実施例に係る安定化電源装置の構成図である。
【図２】本発明の第２の実施例に係る安定化電源装置の構成図である。
【図３】従来の安定化電源装置の構成図である。
【符号の説明】
【００６１】
１０、２０、１１０  安定化電源装置
１１、１１１  電流検出回路
１２、１１２  電圧変換回路
１３、１１３  制御回路
１４、１１４  過電流判定回路
１５  閾値設定回路
１６  温度検出回路
【図１】
0005311437.tif 000002
【図２】
0005311437.tif 000003
【図３】
0005311437.tif 000004